(57)【特許請求の範囲】
【請求項１】
車両用フードの外面を形成するアウタパネルと、前記車両用フードの内面を形成するインナパネルと、前記アウタパネルと前記インナパネルとの間に配置されたロックリインフォースと、前記車両用フードをロックするためのストライカとを有する車両用フードの前部構造に於いて、
前記インナパネル及び前記ロックリインフォースはそれぞれ前記ストライカに対し車両前方側にて車幅方向に延在し且つ上に凸の湾曲部を含む応力集中部を有し、
前記インナパネル及び前記ロックリインフォースは前記応力集中部に対し車両前方側にて互いに接合されており、
前記インナパネルは、前記ストライカに対し車両前方側に前記ストライカに近接した部分よりも前記ロックリインフォースの側へ隆起するオフセット棚と、前記オフセット棚よりも車両後方側にて車長方向に延在するよう前記ストライカに対し車幅方向の両側に設けられた一対のビードとを有し、前記インナパネルの前記応力集中部は前記オフセット棚の車両後方側の縁部及び前記一対のビードの車両前方側の端縁により形成されている、
ことを特徴とする車両用フードの前部構造。
【請求項２】
前記ロックリインフォースの前記応力集中部は車幅方向に延在するビードにより形成されていることを特徴とする請求項１に記載の車両用フードの前部構造。
【請求項３】
前記ロックリインフォースは前記オフセット棚に接合されていることを特徴とする請求項１又は２に記載の車両用フードの前部構造。
【発明の詳細な説明】
【技術分野】
【０００１】
本発明は、自動車等の車両のエンジンルームを開閉するフードに係り、更に詳細にはフードの前部構造に係る。
【背景技術】
【０００２】
自動車等の車両のフードは、フードの外面を形成するアウタパネルと、フードの内面を形成するインナパネルと、フードをロックするためのストライカとを有している。またアウタパネルとインナパネルとの間にロックリインフォースが配置され、ロックリインフォースによりストライカの支持部が補強されたフードも既によく知られている。
【０００３】
例えば下記の特許文献１には、ロックリインフォースがその端部に設けられたフランジ部にてインナパネルに取り付けられ、ストライカの一方の脚部がロックリインフォースに取り付けられたフードの前部構造が記載されている。ロックリインフォースが組み込まれたフードの場合には、ロックリインフォースが組み込まれていない場合に比して、ストライカの支持剛性を高くすることができる。
【先行技術文献】
【特許文献】
【０００４】
【特許文献１】特開２００９−２６９４４７号公報
【発明の概要】
【０００５】
〔発明が解決しようとする課題〕
上記公開公報に記載されている如き従来のフードの前部構造に於いては、ロックリインフォースが組み込まれていない場合に比して、フードの剛性が高くなる。そのため車両が歩行者などに衝突しフードが車両前方側より衝撃荷重を受けた場合に於けるフードの変形能を確保する必要がある。フードの変形能を確保するための種々の構造が従来提案させているが、歩行者などに対する衝突の影響を更に効果的に低減するためには、フードを更に一層良好に且つ十分に変形させることが望ましい。
【０００６】
本発明は、ロックリインフォースが組み込まれた従来の車両用フードの前部構造に於ける上述の如き問題に鑑みてなされたものであり、本発明の主要な課題は、フードが車両前方側より衝撃荷重を受けた場合にフードが従来に比して更に一層良好に且つ十分に変形することができるようにすることである。
〔課題を解決するための手段及び発明の効果〕
【０００７】
上述の主要な課題は、本発明によれば、請求項１の構成、即ち車両用フードの外面を形成するアウタパネルと、前記車両用フードの内面を形成するインナパネルと、前記アウタパネルと前記インナパネルとの間に配置されたロックリインフォースと、前記車両用フードをロックするためのストライカとを有する車両用フードの前部構造に於いて、前記インナパネル及び前記ロックリインフォースはそれぞれ前記ストライカに対し車両前方側にて車幅方向に延在し且つ上に凸の湾曲部を含む応力集中部を有し、前記インナパネル及び前記ロックリインフォースは前記応力集中部に対し車両前方側にて互いに接合されており、前記インナパネルは前記ストライカに対し車両前方側に前記ストライカに近接した部分よりも前記ロックリインフォースの側へ隆起するオフセット棚を含み、前記インナパネルは前記オフセット棚よりも車両後方側にて車長方向に延在するよう前記ストライカに対し車幅方向の両側に設けられた一対のビードを有し、前記インナパネルの前記応力集中部は前記オフセット棚の車両後方側の縁部及び前記一対のビードの車両前方側の端縁により形成されている、ことを特徴とする車両用フードの前部構造によって達成される。
【０００８】
上記請求項１の構成によれば、インナパネル及びロックリインフォースはそれぞれストライカに対し車両前方側にて車幅方向に延在する応力集中部を有している。従ってフードが車両前方側より衝撃荷重を受けた場合には。衝撃荷重による応力が各応力集中部に集中し、それらの領域が他の領域よりも優先的に変形する。よって応力集中部がインナパネル及びロックリインフォースの何れにも設けられていない場合やそれらの一方にしか設けられていない場合に比して、インナパネル及びロックリインフォースを良好に且つ十分に変形させることができる。
また上記請求項１の構成によれば、インナパネル及びロックリインフォースの応力集中部は上に凸の湾曲部を含んでいるので、車両用フードが前端にて車両後方への荷重を受けると各湾曲部の湾曲度合が増大するよう変形する。従って応力集中部が孔や溝又は薄肉部として形成されている場合に比して、ロックリインフォースの強度低下を回避しつつ応力集中による良好な変形能を確保することができる。
また一般に、車両が歩行者などに衝突した場合に於ける歩行者などの損傷を効果的に軽減するためには、フードの前部はその先端が後方且つ下方へ移動するよう変形することが好ましい。上記請求項１の構成によれば、各応力集中部は上に凸の湾曲部を含んでおり、車両後方への荷重によりフードが変形せしめられる際に各湾曲部はその湾曲度合が増大するよう変形する。従って何れかの応力集中部が逆方向へ湾曲している場合に比して、フードの先端が後方且つ下方へ移動するようフードの前部を容易に且つ好ましく変形させることができる。
【０００９】
また上記請求項１の構成によれば、インナパネル及びロックリインフォースの応力集中部は上下方向に互いにオーバラップする状態にて設けられている。従ってインナパネル及びロックリインフォースの応力集中部が上下方向に互いにオーバラップしない領域に設けられている場合に比して、インナパネル及びロックリインフォースが変形する領域の車両前後方向の位置を近づけることができる。
【００１０】
また上記請求項１の構成によれば、インナパネル及びロックリインフォースは応力集中部に対し車両前方側にて互いに接合されている。従ってインナパネル及びロックリインフォースは応力集中部に対し車両前方側に於いては一体的な状態を維持して変形することができ、これにより応力集中部にて１節根折れするよう良好に且つ十分に変形することができる。
また上記請求項１の構成によれば、インナパネルは、ストライカに対し車両前方側にストライカに近接した部分よりもロックリインフォースの側へ隆起するオフセット棚と、オフセット棚よりも車両後方側にて車長方向に延在するようストライカに対し車幅方向の両側に設けられた一対のビードとを有し、インナパネルの応力集中部はオフセット棚の車両後方側の縁部及び一対のビードの車両前方側の端縁により形成されている。
従って応力集中部がオフセット棚の車両後方側の縁部のみにより形成されている場合に比して、一対のビードを有効に利用してインナパネルに於ける応力集中を効果的に行わせることができる。またオフセット棚の車幅方向の長さを長くすることなくインナパネルの応力集中部の車幅方向の長さを長くすることができる。
【００１６】
また本発明によれば、上記請求項１の構成に於いて、前記ロックリインフォースの前記応力集中部は車幅方向に延在するビードにより形成されているよう構成される。
【００１７】
上記の構成によれば、ロックリインフォースの応力集中部は車幅方向に延在するビードにより形成されているので、上に凸の湾曲部を含み強度低下をきたさない応力集中部を容易に且つ確実にロックリインフォースに形成することができる。
【００２０】
また本発明によれば、上述の主要な課題を効果的に達成すべく、上記請求項１又は２の構成に於いて、前記ロックリインフォースは前記オフセット棚に接合されているよう構成される。
【００２１】
上記の構成によれば、ロックリインフォースはオフセット棚に接合されているので、インナパネル及びロックリインフォースが応力集中部に対し車両前方側にて互いに接合された状態にすることができる。また応力集中部を形成するためのオフセット棚を、インナパネル及びロックリインフォースを接合するための手段としても有効に利用することができる。
【００２２】
本発明の一つの好ましい態様によれば、上記構成に於いて、インナパネル及びロックリインフォースの応力集中部は車幅方向に直線状に延在する部分を有するよう構成される（好ましい態様１）。
【００２３】
本発明の他の一つの好ましい態様によれば、上記構成に於いて、インナパネルの応力集中部は少なくともオフセット棚の後縁部により形成されているよう構成される（好ましい態様２）。
【００２４】
本発明の他の一つの好ましい態様によれば、上記構成に於いて、ビードはロックリインフォースの全幅に亘り延在しているよう構成される（好ましい態様３）。
【００２５】
本発明の他の一つの好ましい態様によれば、上記構成に於いて、オフセット棚の車両後方側の縁部及び一対のビードの車両前方側の端縁は一直線上に位置しているよう構成される（好ましい態様４）。
【００２６】
本発明の他の一つの好ましい態様によれば、上記構成に於いて、オフセット棚の車幅方向の長さは一対のビードの間隔よりも小さい長さであるよう構成される（好ましい態様５）。
【図面の簡単な説明】
【００２７】
【図１】本発明による車両用フードの前部構造の第一の実施形態を示す車幅方向中央に於ける車長方向断面図である。
【図２】図２はインナパネルを示す底面図である。
【図３】インナパネルの前部を示す拡大部分底面図である。
【図４】ロアロックリインフォースを示す底面図である。
【図５】フードの前端に歩行者などが衝突した場合を模した打撃試験の要領を示す説明図である。
【図６】比較例のフードについて、打撃試験前の車長方向の断面を二点鎖線にて示し、打撃試験後の車長方向の断面を実線にて示す説明図である。
【図７】第一の実施形態のフードについて、打撃試験前の車長方向の断面を二点鎖線にて示し、打撃試験後の車長方向の断面を実線にて示す説明図である。
【図８】打撃試験に於ける衝突以降の衝撃体のストローク（移動距離）と衝撃体がフードより受ける反力荷重との関係を略図的に示すグラフである。
【図９】本発明による車両用フードの前部構造の第二の実施形態を示す車幅方向中央に於ける車長方向断面図である。
【発明を実施するための形態】
【００２８】
以下に添付の図を参照しつつ、本発明を幾つかの好ましい実施形態について詳細に説明する。
［第一の実施形態］
【００２９】
図１は本発明による車両用フードの前部構造の第一の実施形態を示す車幅方向中央に於ける車長方向断面図、図２はインナパネルを示す底面図、図３はインナパネルの前部を示す拡大部分底面図、図４はロアロックリインフォースを示す底面図である。尚添付の図に於いて、Ｕは上方を示し、Ｌは車長方向を示し、Ｗは車幅方向を示している。
【００３０】
これらの図に於いて、符号１０は本発明の第一の実施形態による車両用フードを全体的に示している。フード１０はフードの外面を形成するアウタパネル１２と、フード１０の内面を形成するインナパネル１４と、アウタパネル１２とインナパネル１４との間に配置されたロックリインフォース１６と、フード１０をロックするためのストライカ１８とを有している。
【００３１】
図示の実施形態に於いては、ロックリインフォース１６は下方側且つ前方側に位置するロアロックリインフォース１６Ａと、前端部にてロアロックリインフォースの後端部にスポット溶接により接合されたアッパロックリインフォース１６Ｂとよりなっている。アウタパネル１２の下面にはアウタパネルのデント性を向上させるためのデントリインフォース２０が固定されており、アッパロックリインフォース１６Ｂの後端部はスポット溶接によりデントリインフォース２０に接合されている。
【００３２】
ロアロックリインフォース１６Ａにはストライカリインフォース２２がスポット溶接により接合されており、ストライカリインフォース２２には上に開いたコの字形をなすストライカ１８の二つの上端が固定されている。ロアロックリインフォース１６Ａ及びインナパネル１４の前部には互いに整合する十字形の孔２４及び２６が設けられており、ストライカ１８は孔２４及び２６を貫通して下方へ突出している。
【００３３】
インナパネル１４の前部には孔２６に対し車幅方向両側にて車長方向に延在し下方へ隆起する一対のビード２８と、孔２６に対し車長方向前側にて車幅方向に延在し上方へ隆起する長方形のオフセット棚３０とが設けられている。オフセット棚３０は実質的に台形の断面形状を有しており、従ってオフセット棚３０の後縁部は車長方向の断面で見て上に凸状の湾曲部と下に凸状の湾曲部とを有している。オフセット棚３０の車幅方向の長さは一対のビード２８の間隔よりも小さく、オフセット棚３０の両端は一対のビード２８より等距離隔置されている。
【００３４】
図３に詳細に示されている如く、オフセット棚３０の後縁部３０Ｂに位置する上に凸状の湾曲部は、車幅方向の一直線３２に沿って一対のビード２８の前端縁部２８Ｆと実質的に整合している。従ってオフセット棚３０の後縁部３０Ｂ及び一対のビード２８の前端縁部２８Ｆは互いに共働してインナパネル１４の上に凸状に湾曲する応力集中部５０を形成している。また図３に示されている如く、ロアロックリインフォース１６Ａの車幅方向の幅はインナパネル１４の車幅方向の幅よりも小さい。
【００３５】
図４に詳細に示されている如く、ロアロックリインフォース１６Ａの前端部には孔２４よりも前方側にて車幅方向に延在する長方形の孔３４が設けられている。ロアロックリインフォース１６Ａの前端部は孔３４の車幅方向両側にてスポット溶接によりオフセット棚３０の両端部に固定されている。図３及び図４に於いて、これらのスポット溶接の位置が記号Ｓにより示されている。
【００３６】
またロアロックリインフォース１６Ａの前端部には実質的に断面半円状に上方へ突出するビード３６が設けられており、ビード３６は実質的に一直線３２に整合する位置にてロアロックリインフォース１６Ａの全幅に亘り直線状に延在している。ビード３６はロアロックリインフォース１６Ａの上に凸状に湾曲する応力集中部５２を形成している。かくしてインナパネル１４の応力集中部５０及びロアロックリインフォース１６Ａの応力集中部５２は上下方向に互いにオーバラップする状態にて設けられている。換言すれば、図４に示されている如く、ビード３６の幅をＡとすると、オフセット棚３０の後縁部３０Ｂはその上に凸状の湾曲部の稜線が幅Ａの範囲内に存在している。
【００３７】
図５はフード１０の前端に歩行者などが衝突した場合を模した打撃試験の要領を示す説明図である。打撃試験に使用される衝撃体３８は弾性を有する円柱体４０と、該円柱体と一体をなす直方体状の剛体４２とよりなっている。打撃試験は衝撃体３８を鉛直方向より傾斜させ、円柱体４０の実質的に中央部がフード１０の前端の車幅方向中央に衝突するよう、衝撃体３８の長手方向に垂直な方向へ衝撃体３８を斜め下方へ高速度にて移動させることにより行われる。
【００３８】
図６及び図７はそれぞれ比較例のフード１０′及び第一の実施形態のフード１０について、打撃試験前の車長方向の断面を二点鎖線にて示し、打撃試験後の車長方向の断面を実線にて示す説明図である。尚比較例のロックリインフォース１６は第一の実施形態のロックリインフォース１６と同一の構成を有している。しかし比較例のフード１０′のインナパネル１４′の前部には第一の実施形態のオフセット棚３０に対応する部分は設けられておらず、平板状をなしている。従ってロックリインフォース１６はオフセット棚３０に対応する部分に接合されてはいない。
【００３９】
図６に示されている如く、比較例のフード１０′の場合には、ロアロックリインフォースのビード３６の断面の湾曲度合は増大したが、インナパネル１４′に折れ変形は発生しなかった。そのためフード１０′全体の変形量も小さく、フード１０′の下方への変形傾斜角も小さい。
【００４０】
これに対し第一の実施形態のフード１０の場合には、ロアロックリインフォース１６Ａのビード３６及びインナパネル１４のオフセット棚３０の後縁部の上に凸の角部にそれらの断面の湾曲度合が増大するよう折れ変形が発生した。よってフード１０全体の変形量及び下方への変形傾斜角の何れもフード１０′の場合よりも大きい。
【００４１】
またインナパネル１４及びロアロックリインフォース１６Ａの屈曲変形はそれぞれオフセット棚３０の後縁部及びビード３６に於いてしか発生せず、従って１節根折れであり、多節根折れにはならなかった。
【００４２】
図８は打撃試験に於ける衝突以降の衝撃体３８のストローク（移動距離）と円柱体４０がフードより受ける反力荷重との関係を略図的に示すグラフである。尚図８に於いて、破線は比較例のフード１０′の結果を示し、実線は第一の実施形態のフード１０の結果を示している。
【００４３】
図８の破線と実線との比較より解る如く、比較例のフード１０′の場合には、反力荷重はフードの変形が実質的に最大になるまで上昇し続けると共に、反力荷重の最大値が比較的高い値になることが解る。これに対し第一の実施形態のフード１０の場合には、フード１０の変形の進行の途中から反力荷重の上昇が非常に穏やかになり、反力荷重の最大値が比較例のフード１０′の場合よりも低くなり、これに対応して最大ストロークが大きくなることが解る。即ちインナパネル１４及びロアロックリインフォース１６がそれらの応力集中部にて１節根折れすることにより、フード１０を良好に且つ十分に変形させることができる。
【００４４】
尚比較例のフード１０′及び第一の実施形態のフード１０の何れの場合にも、反力荷重が最大値に到達した後に低下する際にストロークが僅かに減少している。これはフードに対する衝撃荷重の解放と共にフードの弾性変形していた部分の変形量が減少することによる現象であると思われる。
【００４５】
従って第一の実施形態のフード１０によれば、インナパネル１４及びロアロックリインフォース１６がそれらの応力集中部にて１節根折れすることにより、フード１０を良好に且つ十分に変形させることができる。よって比較例のフード１０′の場合に比して、フード１０の前端に歩行者などが衝突した場合に歩行者などがフードの前端より受ける衝撃をフードの良好且つ十分な変形によって効果的に吸収することができる。
［第二の実施形態］
【００４６】
図９は本発明による車両用フードの前部構造の第二の実施形態を示す車幅方向中央に於ける車長方向断面図である。尚図９に於いて図１に示された部材と同一の部材には図１に於いて付された符号と同一の符号が付されている。
【００４７】
この第二の実施形態に於いては、アウタパネル１２、ロックリインフォース１６、ストライカ１８は第一の実施形態の場合と同様に構成されている。インナパネル１４は、その前端近傍にオフセット棚３０に対し車長方向前側にて車幅方向に延在し下方へ隆起する長方形のオフセット棚４２が設けられている点を除き、第一の実施形態のインナパネル１４と同様に構成されている。
【００４８】
オフセット棚４２はインナパネル１４の前端近傍の剛性を向上させるが、オフセット棚３０に対し車長方向前側にて車幅方向に延在しているので、フード１０の前端に衝撃が作用した際に於けるフード１０の変形を実質的に阻害しない。即ちオフセット棚４２はロアロックリインフォース１６Ａのビード３６及びインナパネル１４のオフセット棚３０の後縁部の上に凸の湾曲部にそれらの断面の湾曲度合が増大するよう折れ変形が発生することを阻害しない。
【００４９】
従って第二の実施形態のフード１０によれば、第一の実施形態の場合と同様に、フードの前端に歩行者などが衝突した場合に歩行者などがフードの前端より受ける衝撃を効果的に低減することができる。また第一の実施形態の場合に比してインナパネル１４の前端近傍の剛性を向上させることができる。
【００５０】
特に第一及び第二の実施形態によれば、インナパネル１４及びロックリインフォース１６の何れの応力集中部も上に凸の湾曲部を含み、フードが前端にて車両後方への荷重を受けると各湾曲部の湾曲度合が増大するよう変形する。従って応力集中部が孔や溝又は薄肉部として形成されている場合に比して、ロックリインフォースの強度低下を回避しつつ応力集中による良好な変形能を確保することができる。また何れかの応力集中部が逆方向へ湾曲している場合に比して、フードの先端が後方且つ下方へ移動するようフードの前部を容易に且つ好ましく変形させることができる。
【００５１】
また第一及び第二の実施形態によれば、インナパネル１４の応力集中部５０はオフセット棚３０の後縁部３０Ｂ、即ち車両後方側の縁部及び一対のビード２８の前端縁部２８Ｆ、即ち車両前方側の端縁部により形成されている。従って応力集中部がオフセット棚３０の後縁部３０Ｂのみにより形成されている場合に比して、一対のビード２８を有効に利用してインナパネル１４に於ける応力集中を効果的に行わせることができる。またオフセット棚３０の車幅方向の長さを長くすることなくインナパネル１４の応力集中部の車幅方向の長さを長くすることができる。
【００５２】
またオフセット棚３０の後縁部３０Ｂの上に凸状の湾曲部は車幅方向の一直線３２に沿って一対のビード２８の前端縁部２８Ｆと互いに実質的に整合している。従ってオフセット棚３０の後縁部３０Ｂ及び一対のビード２８の前端縁部２８Ｆが整合していない場合に比して、インナパネル１４の応力集中部を好ましく形成することができ、インナパネル１４の変形を良好に行わせることができる。
【００５３】
また第一及び第二の実施形態によれば、ロアロックリインフォース１６Ａはオフセット棚３０に接合されているので、インナパネル１４及びロックリインフォース１６が確実に応力集中部に対し車両前方側にて互いに接合された状態にすることができる。また応力集中部を形成するためのオフセット棚３０を、インナパネル１４及びロックリインフォース１６を接合するための手段としても有効に利用することができる。
【００５４】
更に第一及び第二の実施形態によれば、ロアロックリインフォース１６Ａの前端部に設けられ応力集中部として機能するビード３６は、ロアロックリインフォース１６Ａの全幅に亘り直線状に延在している。従ってビード３６がロアロックリインフォース１６Ａの全幅に亘り延在していない場合や湾曲して延在している場合に比して、ロアロックリインフォース１６Ａの変形を良好に行わせることができる。
【００５５】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【００５７】
例えば上述の第一及び第二の実施形態に於いては、インナパネル１４の応力集中部５０及びロックリインフォース１６の応力集中部５２は何れも上に凸の湾曲部により形成されている。しかし少なくとも一方の応力集中部の少なくとも一部が上に凸の湾曲部以外の手段により形成されてもよい。例えばロックリインフォース１６の応力集中部５２の少なくとも一部が、孔や溝又は薄肉部として形成されてもよい。
【００５８】
また上述の第一及び第二の実施形態に於いては、ロアロックリインフォース１６Ａはオフセット棚３０に接合されているが、ロアロックリインフォース１６Ａはオフセット棚３０以外の部位にてインナパネル１４に接合されてもよい。
【００５９】
また上述の各実施形態に於いては、オフセット棚３０は実質的に台形の断面形状を有しているが、断面形状は他の形状であってもよい。例えばオフセット棚３０はその前縁が段差なく前端部につながるよう形成されてもよい。
【００６０】
また上述の各実施形態に於いては、ロックリインフォース１６はロアロックリインフォース１６Ａとアッパロックリインフォース１６Ｂとよりなっているが、一つの部材であってもよい。
【符号の説明】
【００６１】
１０、１０′…フード、１２…アウタパネル、１４…インナパネル、１６…ロックリインフォース、１８…ストライカ、２８…ビード、３０…オフセット棚、３６…ビード
エアコン、３８…衝撃体、４２…オフセット棚、５０、５２…応力集中部
【図１】
0005741204.tif 000002
【図２】
0005741204.tif 000003
【図３】
0005741204.tif 000004
【図４】
0005741204.tif 000005
【図５】
0005741204.tif 000006
【図６】
0005741204.tif 000007
【図７】
0005741204.tif 000008
【図８】
0005741204.tif 000009
【図９】
0005741204.tif 000010